(57)【特許請求の範囲】
【請求項１】
対向する２枚の側板間を連結する軸のそれぞれに回動可能に配設された第１及び第２の回動部材であって、一方の回動部材の凸部と他方の回動部材の凹部とが回動によって係合、離脱し、前記凸部を有する回動部材は前記係合、離脱部から反対の側において前記側板から突出している突出部を有する第１及び第２の回動部材と、これら第１の回動部材と第２の回動部材を相互に離脱する方向に付勢しているばね部材と、前記２枚の側板間にあって前記係合が離脱した時に前記突出部を有する回動部材が回動する側に設けられたインスツルメントホース挿通路とを有することを特徴とする歯科用インスツルメントホース係止具。
【請求項２】
前記凹部を有する回動部材を、前記挿通路に挿通されたインスツルメントホースを曲げることによって、前記凸部を有する回動部材との係合を解除して前記第１の回動部材と第２の回動部材とを離脱し、前記インスツルメントホースを引っ張ることによって、前記凸部を有する回動部材の前記突出部を、前記インスツルメントホースに固定され該インスツルメントホースの径より大きい径のリング部材で押して、前記離脱した回動部材の凸部と凹部とを係合させるようにしたことを特徴とする請求項１に記載の歯科用インスツルメント係止具。
【請求項３】
前記ばね部材は、前記軸の一方に取り付けられたヘアピンばねで、一方のばね片を第１の回動部材に係合させ、他方のばね片を第２の回動部材に係合させて、両回動部材を反対方向に回動するよう付勢するものであることを特徴とする請求項１又は２に記載の歯科用インスツルメントホース係止具。
【発明の詳細な説明】
【０００１】
【発明の属する技術分野】
本発明は、歯科用インスツルメントホース係止具、より詳細には、インスツルメントホースをインスツルメントホルダーより垂下して使用する型式のインスツルメントホルダーに適用して、施術中、該垂下したインスツルメントホースの自重による引き戻し力が、術者の持つインスツルメントにかからないように該インスツルメントホースを保持して、施術中の術者に負担がかからないようにした歯科用インスツルメントホース係止具に関する。
【０００２】
【従来の技術】
図３は、本発明によるインスツルメントホース係止具が適用される歯科ユニットのインスツルメントホルダー部の概略を示す図で、図中、１はワークテーブル、２はインスツルメントホルダー、３は、例えば、マイクロエンジン，エアータービン，シリンジ等の歯科治療用インスツルメント、４は各インスツルメントに電気，エアー，水等を供給するためのインスツルメントホースで、本発明が適用されるインスツルメントホルダー２においては、インスツルメントホース４は、図示のように、インスツルメントホルダー２から垂下した状態にあり、歯科治療に当り、術者が所望のインスツルメント３をインスツルメントホルダー２から引き出すと、そのインスツルメント３と一緒にインスツルメントホース４も引き出される。
【０００３】
【発明が解決しようとする課題】
上述のごとき、インスツルメントホースをインスツルメントホルダーより垂下する型式のインスツルメントホルダーを使用する場合、術者がインスツルメントホルダー２から治療に必要なインスツルメント３を引き出すと、それと一緒にインスツルメントホース４も引き出されるが、この引き出されたインスツルメントホースは、その自重により元の位置に戻ろうとして、インスツルメントを持って治療している術者の手にその引き戻し力が働き、術者に負担がかかる。
【０００４】
本発明は、上述のごとき実情に鑑みてなされたもので、特に、インスツルメントホースを垂下して保持するインスツルメントホルダーに適用し、該インスツルメントホルダーよりインスツルメントを引き出した時に、該引き出されたインスツルメントと一緒に引き出されたインスツルメントホースの自重による引き戻し力が働かないように該インスツルメントホースを係止して、インスツルメントを持った施術者の手に前記インスツルメントホースの引き戻し力による力がかからないようにするとともに、その係止が施術の妨げとならないようにして、術者に負担のかからない歯科用インスツルメントホース係止具を提供することを目的としてなされたものである。
【０００５】
【課題を解決するための手段】
請求項１の発明は、対向する２枚の側板間を連結する軸のそれぞれに回動可能に配設された第１及び第２の回動部材であって、一方の回動部材の凸部と他方の回動部材の凹部とが回動によって係合、離脱し、前記凸部を有する回動部材は前記係合、離脱部から反対の側において前記側板から突出している突出部を有する第１及び第２の回動部材と、これら第１の回動部材と第２の回動部材を相互に離脱する方向に付勢しているばね部材と、前記２枚の側板間にあって前記係合が離脱したときに前記突出部を有する回動部材が回動する側に設けられたインスツルメントホース挿通路とを有することを特徴としたものである。
【０００６】
請求項２の発明は、請求項１の発明において、前記凹部を有する回動部材を、前記挿通路に挿通されたインスツルメントホースを曲げることによって、前記凸部を有する回動部材との係合を解除して前記第１の回動部材と第２の回動部材とを離脱し、前記インスツルメントホースを引っ張ることによって、前記凸部を有する回動部材の前記突出部を、前記インスツルメントホースに固定され該インスツルメントホースの径より大きい径のリング部材で押して、前記離脱した回動部材の凸部と凹部とを係合させるようにしたことを特徴としたものである。
【０００７】
請求項３の発明は、請求項１又は２の発明において、前記ばね部材は、前記軸の一方に取り付けられたヘアピンばねで、一方のばね片を第１の回動部材に係合させ、他方のばね片を第２の回動部材に係合させて、両回動部材を反対方向に回動する付勢するものであることを特徴としたものである。
【０００８】
【発明の実施の形態】
図１は、本発明による歯科用インスツルメントホース係止具の一実施例を説明するための要部構成図で、図中、１０は本発明による歯科用インスツルメントホース係止具（以下、ホース係止具と略称する）、２０は歯科用インスツルメントホース（以下、ホースと略称する）で、係止具１０は、例えば、インスツルメントホルダー等に取り付けられる。ホース２０の一端２０ａ側には、周知のように、歯科治療用インスツルメント、例えば、マイクロエンジンハンドピース，エアータービンハンドピース，シリンジ等が取り付けられ、他端２０ｂ側は、例えば、ワンタッチコネクタ等を介して電源，圧縮エアー源，水圧源等に接続されるようになっており、途中に、ホース２０の径より大きい径のリング状部材２１が取り付けられている。
【０００９】
図２は、ホース係止具１０を、図１の矢視Ｐ方向から見た図で、２枚の側板１１ａ，１１ｂは、少なくともホース２０の径より大きな間隔Ｌ１をもって一体的に固定され、一方の側には、ホース２０の移動を滑らかにするためのローラ１８ａ〜１８ｄが設けられ、ホース２０は、このローラ１８ａ〜１８ｄの上を矢印Ａ及びＢ方向に移動するようになっている。１２は前記側板１１ａと１１ｂの間において第１の軸１４のまわりに回動可能に設けられた第１の回動部材、１３は第２の軸１５のまわりに回動可能に設けられた第２の回動部材、１６はこれら第１の回動部材１２と第２の回動部材１３とを相互に離す方向（矢印Ｃ方向及びＤ方向）に付勢するばね部材で、第１の回動部材１２の先端部（凸部）１２ａと、第２の回動部材１３の凹部１３ａとは、図１（Ａ）に示すように係合したり、図１（Ｂ）に示すように離脱したりするように構成されている。
【００１０】
図１（Ａ）は、インスツルメント（図示せず）がインスツルメントホルダー（図示せず）に載置されている時の状態を示す図で、この時、第１の回動部材１２の凸部１２ａと第２の回動部材１３の凹部１３ａとは、図示のように係合しており、ばね部材（ヘアピンばね）１６によって、相互に相反する方向（矢印Ｃ方向及びＤ方向）に回動するように付勢されている。
【００１１】
歯科治療に当って、術者は、周知のように、インスツルメントホルダーよりインスツルメントを取り出すが、この時、インスツルメントは、一般的には、施術位置より低い位置にあるインスツルメントホルダーの上にあるので、インスツルメントホースは、図１（Ｂ）にて示すように、上方に向けて持ち上げられるが、この方向（矢印Ｅ方向）には、回動部材１２，１３が設けられており、該インスツルメントホース２０が第２の回動部材１３に当って、該第２の回動部材１３を、ばね部材１６のばね力に抗して矢印Ｆ方向に回動し、該第２の回動部材１３の凹部１３ａと第１の回動部材１２の凸部１２ａとの係合が解除すると、第２の回動部材１３は軸１５を中心に矢印Ｄ方向が回動し、第１の回動部材１３は軸１４を中心に矢印Ｇ方向に回動し、これら第１の回動部材１２と第２の回動部材１３とが離脱する。
【００１２】
第１の回動部材１２及び第２の回動部材１３が、上述のようにして、離脱されると、第２の回動部材１３は、ヘアピンばね１６の一方のばね片１６１が直線状になるまでＤ方向に回動し、それ以上は回動しない。第１の回動部材１２は、ヘアピンばね１６のばね片１６１が直線状になった状態を基準にして、該ヘアピンばね１６のばね力により、該ヘアピンばね１６の他方のばね片１６２によって押されて矢印Ｃ方向に回動し、先端部（凸部）１２ａの角部１２ａ１がインスツルメントホース２０に当り、該インスツルメントホース２０を、該ばね部材１６のばね力によりローラ１８ａ〜１８ｄとの間で押える。
【００１３】
以降、インスツルメントホース２０は、破線にて示す状態で使用されるが、その際、インスツルメントホース２０はばね部材１６のばね力によって第１の回動部材１２の角部１２ａ′で押えられて、矢印Ａ，Ｂ方向への移動が抑制され、特に、インスツルメントホース２０の自重によるＢ方向への引き戻し力が抑制され、術者への負担が軽減される。なお、その分Ａ方向への引き出し力は増加するが、ホース２０を完全にロックしてしまうものではないため、チョイ出しが可能であり、非常に使い勝手が良い。
【００１４】
施術が終って、インスツルメントをインスツルメントホルダーに戻す時は、その前に、すなわち、施術終了後、術者がインスツルメントホース２０を矢印Ａ方向に引くと、該インスツルメントホース２０に一体的に取り付けられているリング状部材２１が、第１の回動部材１２の突出部１２ｂに当り、該第１の回動部材１２を軸１４を中心に矢印Ｇ方向に回転し、図１（Ａ）に示した状態まで戻し、第１の回動部材１２の凸部１２ａと第２の回動部材１３の凹部１３ａを係合して、図１（Ａ）に示した状態とし、この状態で、インスツルメントをインスツルメントホルダーに戻す。以降、同様の操作により、治療を行う。
【００１５】
【発明の効果】
以上の説明から明らかなように、本発明によると、比較的簡単かつ安価な構成で、施術中、術者の手にかかるインスツルメントホースの戻り力を軽減することができ、しかも、施術中、チョイ出しが容易なインスツルメントホース係止具を提供することができる。また、ばね力を利用しているので、縦置き、横置き等任意の向きに設置できる。
【図面の簡単な説明】
【図１】本発明による歯科用インスツルメントホース係止具の一実施例を説明するための各状態図である。
【図２】本発明による歯科用インスツルメントホース係止具の一実施例を説明するための前面図である。
【図３】本発明による歯科用インスツルメントホース係止具が適用される歯科ユニットのインスツルメントホルダー部の一例を説明するための概略構成図である。
【符号の説明】
１０…インスツルメントホース係止具、１１ａ，１１ｂ…側板、１２…第１の回動部材、１３…第２の回動部材、１４，１５…軸、１６…ばね部材（ヘアピンばね）。
【図１】
0003628300.tif 000002
【図２】
0003628300.tif 000003
【図３】
0003628300.tif 000004